(57)【要約】【課題】内部に電極が配置された絶縁性部材を生体の器官内に挿入して、絶縁性部材の外周面が、器官の内壁面に接触している接触状態をリアルタイムに評価することができる生体内電位計測器を提供する。【解決手段】内部に電極１０が配置された絶縁性部材２０を生体の器官内に挿入して、絶縁性部材２０の外周面を器官７０の内壁面に接触させた状態で、接触した部位の電位を電極で検出し、電極で検出した電位を増幅器で増幅することにより測定された電圧を用いて、絶縁性部材の外周面が、器官の内周面に接触している接触状態を評価する。【選択図】図１
2019170529.tif 000002
【特許請求の範囲】
【請求項１】
内部に電極が配置された絶縁性部材を生体の器官内に挿入して、前記絶縁性部材の外周面を、前記器官の内壁面に接触させた状態で、該接触した部位の電位を、前記電極で計測する生体内電位計測器において、
前記接触した部位の電位は、前記電極で検出した電位を、生体の外部に配置された増幅器で増幅することにより測定され、
前記増幅器は、前記絶縁性部材の前記接触した部位における静電容量をＣe、前記器官の内壁面における所定部位の電位の周波数帯域をｆとしたとき、前記増幅器の入力容量Ｃin、及び入力抵抗Ｒinが、Ｃin／Ｃe＞０．１、及び１／（２πｆＣeＲin）＞０．１を満たすように設定されており、
前記電極で検出した電位を、前記増幅器で増幅することにより測定された電圧を用いて、前記絶縁性部材の外周面が、前記器官の内周面に接触している接触状態を評価する、生体内電位計測器。
【請求項２】
前記増幅器は、該増幅器の入力容量Ｃin、及び入力抵抗Ｒinが、
Ｃin／Ｃe＞０．１、及び１／（２πｆＣeＲin）＞０．１を満たすように設定された第１の増幅器と、
Ｃin／Ｃe＜０．０１、及び１／（２πｆＣeＲin）＜０．０１を満たすように設定された第２の増幅器と、
を備え、
前記電極で検出した電位を、前記第１の増幅器で増幅することにより測定された第１の電圧Ｖ１と、前記第２の増幅器で増幅することにより測定された第２の電圧Ｖ２との電圧比Ｖ１／Ｖ２を用いて、前記絶縁性部材の外周面が、前記器官の内周面に接触している接触状態を評価する、請求項１に記載の生体内電位計測器。
【請求項３】
前記電極で検出した電位を、前記第１の増幅器または前記第２の増幅器のいずれかで測定するように切り替える切替手段を備え、
前記第１の電圧Ｖ１及び前記第２の電圧Ｖ２は、前記切替手段により、同一周期タイミングで切り替えることによって、連続的に前記第１の増幅器及び前記第２の増幅器を用いて測定される、請求項２に記載の生体内電位計測器。
【請求項４】
前記絶縁性部材は、その外周面が、前記接触した部位の形状に沿って、変形自在又は拡張自在な部材で構成されている、請求項１〜３の何れかに記載の生体内電位計測器。
【請求項５】
前記絶縁性部材の外周面を、前記器官の内壁面にリング状に接触させた状態で、該接触した部位の電位を、前記電極で計測する、請求項１〜４の何れかに記載の生体内電位計測器。
【請求項６】
前記絶縁性部材は、中空袋状からなり、
前記絶縁性部材の中に、導電性の流動体を注入して、前記絶縁性部材の外周面を、前記器官の内壁面に接触させた状態で、該接触した部位の電位を、前記電極で計測する、請求項１〜５の何れかに記載の生体内電位計測器。
【請求項７】
前記電極と、前記器官の内壁面とは、前記絶縁性部材を挟んで、静電容量結合型電極を構成している、請求項１〜６の何れかに記載の生体内電位計測器。
【請求項８】
前記絶縁性部材は、該絶縁性部材の外周面が、前記器官の内壁面に接触した状態で、前記電極に高周波電流を通電して、前記導電性の流動体を加熱することによって、前記接触した部位を焼灼する機能を兼ね備えている、請求項６に記載の生体内電位計測器。
【請求項９】
前記絶縁性部材の外周面が、前記器官の内壁面に接触した状態で、前記電極に高周波電流を通電して、前記接触した部位を焼灼した後、前記第１の電圧Ｖ１及び前記第２の電圧Ｖ２を測定することにより、焼灼直後における、前記絶縁性部材の外周面が、前記器官の内壁面に接触している接触状態を評価する、請求項２に記載の生体内電位計測器。
【発明の詳細な説明】
【技術分野】
【０００１】
本発明は、生体の器官内に挿入して、該器官の内壁面における所定部位の電位を計測する生体内電位計測器に関する。
【背景技術】
【０００２】
血管等の器官内にカテーテルを挿入して、病変部に対して検査や治療を行うことが行われている。
【０００３】
カテーテルを用いた治療の一つに、バルーン付きのカテーテル・アブレーション治療がある。この治療は、カテーテルの先端にバルーンを取り付け、バルーン内に液体を注入することによってバルーンを膨らませた後、高周波電流によりバルーン内の液体を温めることによって、バルーンの表面と接触している器官を焼灼するもので、例えば、心房細動の治療等に適用されている。
【０００４】
この治療によれば、バルーンが柔軟な球形を有しているので、心房細動の治療部位である左心房と肺静脈との接合近傍の内壁面に、膨らんだバルーンの外周面をリング状に接触させることができるため、一度に肺静脈の周囲を焼灼することができる。
【０００５】
一方、アブレーション治療によって器官を焼灼した後、焼灼効果を確認するために、焼灼付近の器官の電位を計測することが行われている。例えば、特許文献１には、先端に電位測定用の複数の電極を備えたカテーテルを器官内に挿入して、焼灼付近の器官に各電極を接触させて、各電極が接触した部位の電位を計測する方法が記載されている。
【先行技術文献】
【特許文献】
【０００６】
【特許文献１】特許第５８７０６９４号公報
【発明の概要】
【発明が解決しようとする課題】
【０００７】
バルーン付きのカテーテル・アブレーション治療において、膨らんだバルーンの外周面と、器官の内壁面との接触状態が悪い場合、バルーンの熱が器官に十分伝わらないため、十分な焼灼効果が得られない。
【０００８】
バルーン内に希釈造影剤を注入して、Ｘ線ＣＴ（Computed Tomography）装置で撮像することによって、バルーンの形状を把握することができるが、心臓組織等の器官は、Ｘ線ＣＴ装置では撮像できないため、バルーンと器官の接触状態を確認することができない。
【０００９】
バルーンと器官との接触状態を確認するために、現在は、バルーンの外周面を、器官の内壁面に密着させた状態（閉塞状態）で、バルーンの先端から造影剤を器官内に吐出し、吐出した造影剤が、密着させた器官から流れ出ていないことを、Ｘ線ＣＴ装置で撮像することによって接触状態を確認している（閉塞造影）。
【００１０】
しかしながら、例えば、アブレーション治療中に、上記のような閉塞造影を行うことは困難なため、リアルタイムに接触状態を確認することができない。また、閉塞造影により接触状態を確認するためには、３次元の撮像が必要になるため、Ｘ線ＣＴ装置が大がかりになってしまう。
【００１１】
本発明は、上記課題に鑑みなされたもので、その主な目的は、内部に電極が配置された絶縁性部材を生体の器官内に挿入して、器官の内壁面における所定部位の電位を計測する生体内電位計測器において、絶縁性部材の外周面が、器官の内壁面に接触している接触状態をリアルタイムに評価することができる生体内電位計測器を提供することにある。
【課題を解決するための手段】
【００１２】
本発明に係る生体内電位計測器は、内部に電極が配置された絶縁性部材を生体の器官内に挿入して、絶縁性部材の外周面を、器官の内壁面に接触させた状態で、該接触した部位の電位を、電極で計測する生体内電位計測器において、接触した部位の電位は、電極で検出した電位を、生体の外部に配置された増幅器で増幅することにより測定され、増幅器は、絶縁性部材の接触した部位における静電容量をＣe、器官の内壁面における所定部位の電位の周波数帯域をｆとしたとき、増幅器の入力容量Ｃin、及び入力抵抗Ｒinが、Ｃin／Ｃe＞０．１、及び１／（２πｆＣeＲin）＞０．１を満たすように設定されており、電極で検出した電位を、増幅器で増幅することにより測定された電圧を用いて、絶縁性部材の外周面が、器官の内壁面に接触している接触状態を評価することを特徴とする。
【００１３】
本発明のある好適な実施形態において、上記増幅器は、該増幅器の入力容量Ｃin、及び入力抵抗Ｒinが、Ｃin／Ｃe＞０．１、及び１／（２πｆＣeＲin）＞０．１を満たすように設定された第１の増幅器と、Ｃin／Ｃe＜０．０１、及び１／（２πｆＣeＲin）＜０．０１を満たすように設定された第２の増幅器とを備え、電極で検出した電位を、第１の増幅器で増幅することにより測定された第１の電圧Ｖ１と、第２の増幅器で増幅することにより測定された第２の電圧Ｖ２との電圧比Ｖ１／Ｖ２を用いて、絶縁性部材の外周面が、器官の内壁面に接触している接触状態を評価する。
【発明の効果】
【００１４】
本発明によれば、内部に電極が配置された絶縁性部材を生体の器官内に挿入して、器官の内壁面における所定部位の電位を計測する生体内電位計測器において、絶縁性部材の外周面が、器官の内壁面に接触している接触状態をリアルタイムに評価することができる。
【図面の簡単な説明】
【００１５】
【図１】本発明の一実施形態における生体内電位計測器の基本的な構成を模式的に示した図である。
【図２】絶縁性部材の外周面が、器官の内壁面に接触した状態を模式的に示した図である。
【図３】絶縁性部材の外周面が、器官の内壁面に接触した部位の電位を、絶縁性部材の中に配置された電極で計測する方法を示した等価回路図である。
【図４】本発明の一実施形態における生体内電位計測器の構成を模式的に示した等価回路図である。
【発明を実施するための形態】
【００１６】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１７】
図１は、本発明の一実施形態における生体内電位計測器の基本的な構成を模式的に示した図である。なお、本発明における生体内電位計測器は、生体の器官内に挿入して、器官の内壁面における所定部位の電位を計測するもので、例えば、心房細動のカテーテル・アブレーション治療において、焼灼後の焼灼部位における電位等の計測に用いられる。
【００１８】
図１に示すように、本実施形態における生体内電位計測器は、外周面が変形自在又は拡張自在な絶縁性部材２０と、絶縁性部材２０の中に配置された電極１０とを備えている。絶縁性部材２０として、例えば、中空袋状からなるバルーンを用いることができる。また、絶縁性部材２０に、中空管状の可撓性部材（カテーテル）３０が結合したバルーン付きカテーテルを用いてもよい。
【００１９】
図１は、絶縁性部材２０の中に、導電性の流動体２１を注入することによって、絶縁性部材２０の外周面を、生体の器官７０の内壁面に、リング状に接触させた状態を示している。例えば、カテーテル・アブレーション治療の場合、絶縁性部材２０の外周面を、心房細動の治療部である左心房と肺静脈との結合近傍における器官の内壁面に、リング状に接触させる。ここで、導電性の流動体２１は、例えば、中空管状の可撓性部材（カテーテル）３０を介して、外部から注入することができる。また、導電性の流動体２１は、例えば、生理食塩水等を用いることができる。
【００２０】
本実施形態における生体内電位計測器は、図１に示すように、絶縁性部材２０の外周面を、器官７０の内壁面にリング状に接触させた状態で、接触した部位の電位を、絶縁性部材２０の中に配置した電極１０によって計測するものである。
【００２１】
また、図１に示すように、絶縁性部材２０が接触した部位の電位は、生体の表面６０に、基準となる接地電極４０を貼り付け、絶縁性部材２０の中に配置された電極１０と、接地電極４０との間の電圧を、生体の外部に配置された増幅器８０で増幅することによって計測することができる。なお、電極１０の電位は、リード線３１を介して、増幅器８０に入力される。
【００２２】
また、本実施形態における絶縁性部材２０は、絶縁性部材２０の外周面が、器官の内壁面に接触した状態で、絶縁性部材２０の中に配置した電極１０に高周波電流を通電して、流動体２１を加熱することによって、絶縁性部材２０が接触した部位を焼灼する機能（アブレーション機能）を兼ね備えていてもよい。
【００２３】
図２は、絶縁性部材２０の外周面が、器官７０の内壁面に接触した状態を模式的に示した図である。ここで、絶縁性部材２０の中に注入された流動体２１は、導電性を有しているため、流動体２１と接触している絶縁性部材２０の内壁面の電位は、絶縁性部材２０の中に配置された電極１０の電位と、実質的に同じと考えられる。従って、図２に示すように、電極１０と、器官７０の内壁面とは、絶縁性部材２０を挟んで、静電容量結合型電極を構成していることになる。
【００２４】
図３は、絶縁性部材２０の外周面が、器官７０の内壁面に接触した部位の電位を、絶縁性部材２０の中に配置された電極１０で計測する方法を示した等価回路図である。ここで、Ｖbは、絶縁性部材２０の外周面が、器官７０の内壁面に接触した部位で計測される電位で、Ｃeは、電極１０と器官７０との間の静電容量を示す。なお、Ｖbは、器官７０の周囲にある複数電位の重心電位が伝わって接触部位で計測されたものである。また、生体の表面６０には、基準となる接地電極４０が貼り付けられており、電極１０と接地電極４０との間の電圧は、増幅器８０で増幅されて、出力電圧Ｖoutとして計測される。また、Ｃinは、増幅器８０の入力容量で、Ｒinは、増幅器８０の入力抵抗を示す。
【００２５】
図３に示した等価回路において、キルヒホッフの第２法則より、下記の式（１）が成り立つ。
【００２６】
【数１】
2019170529.tif 000003
【００２７】
ここで、Ｚceは、電極１０と器官７０との間の静電容量Ｃｅのインピーダンス、Ｚcinは、増幅器８０の入力容量Ｃinのインピーダンスである。
【００２８】
また、増幅器８０の閉ループ回路において、キルヒホッフの第１法則により、以下の式（２）が成り立つ。
【００２９】
【数２】
2019170529.tif 000004
【００３０】
式（１）、（２）を用いて、ｉ２について解くと、下記の式（３）が得られる。
【００３１】
【数３】
2019170529.tif 000005
【００３２】
また、オームの法則から、下記の式（４）が成り立つ。
【００３３】
【数４】
2019170529.tif 000006
【００３４】
式（３）を、式（４）に代入して、以下の式（５）が得られる。
【００３５】
【数５】
2019170529.tif 000007
【００３６】
式（５）の分母の第１項と第２項は、それぞれ式（６）、（７）のように表される。
【００３７】
【数６】
2019170529.tif 000008
【００３８】
【数７】
2019170529.tif 000009
【００３９】
式（６）、（７）を、式（５）に代入すると、下記の式（８）が得られる。
【００４０】
【数８】
2019170529.tif 000010
【００４１】
ここで、式（８）の右辺を、Ｋ（Ｃe）（ＫはＣeの関数）と表すと、式（８）は、下記の式（９）で表される。
【００４２】
【数９】
2019170529.tif 000011
【００４３】
式（９）において、絶縁性部材２０が接触している部位の電位Ｖbは、アブレーション治療による焼灼によって変化する。
【００４４】
一方、電極１０と器官７０との間の静電容量Ｃeは、絶縁性部材２０と器官７０との接触面積をＳ、絶縁性部材２０の厚みをｄとすると（図２を参照）、下記の式（１０）のように表される。
【００４５】
【数１０】
2019170529.tif 000012
【００４６】
ここで、ε０は、真空の誘電率（８．８５５×１０−１２ [Ｆ／ｍ]）、εｒは、絶縁性部材２０の比誘電率である。
【００４７】
従って、式（９）において、Ｋ（Ｃe）は、絶縁性部材２０と器官７０との接触面積Ｓの関数となり、接触状態によって変化する。
【００４８】
すなわち、電極１０と接地電極４０との間の出力電圧Ｖoutは、アブレーション治療による焼灼、及び絶縁性部材２０と器官７０との接触状態によって変化する。そのため、電極１０と接地電極４０との間の出力電圧Ｖoutを計測しただけでは、絶縁性部材２０と器官７０との接触状態を確認することができない。
【００４９】
そこで、本発明者等は、上記の式（８）において、Ｃin／Ｃe＜０．０１、及び、１／（ωＣeＲin）＜０．０１を満たすように、増幅器８０の入力容量Ｃinを十分に小さくし、かつ、入力抵抗Ｒinを十分に大きく設定することによって、式（８）は、以下の式（１１）で表されることに着目した。
【００５０】
【数１１】
2019170529.tif 000013
【００５１】
すなわち、電極１０と接地電極４０との間の電圧を、入力容量Ｃin及び入力抵抗Ｒinが、上記の条件を満たすように設定された増幅器８０で増幅して計測することによって、絶縁性部材２０と器官７０との接触状態の影響を受けることなく、器官７０の部位の電位Ｖbを計測することができる。
【００５２】
そこで、式（１１）を満たす条件の増幅器８０で計測した電圧Ｖoutを定数Ｖbとし、式（９）に基づいて、式（１１）を満たさない条件の増幅器８０で電圧Ｖoutを計測することによって、Ｋ（Ｃe）の変化、すなわち、絶縁性部材２０と器官７０との接触状態の変化を評価できると考え、本発明を想到するに至った。
【００５３】
図４は、本発明の一実施形態における生体内電位計測器の構成を模式的に示した等価回路図である。
【００５４】
本実施形態における生体内電位計測器の基本的な構成は、図１に示した通りである。すなわち、内部に電極１０が配置された絶縁性部材２０を、生体の器官７０内に挿入して、絶縁性部材２０の外周面を、器官７０の内壁面に接触させた状態で、接触した部位の電位を、絶縁性部材２０の内部に配置した電極１０で計測するものである。
【００５５】
ここで、絶縁性部材２０が接触した部位の電位は、図１に示したように、生体の表面６０に、基準となる接地電極４０を貼り付け、絶縁性部材２０の中に配置された電極１０と、接地電極４０との間の電圧を、生体の外部に配置された増幅器８０で増幅することによって計測することができる。なお、電極１０の電位は、リード線３１を介して、増幅器８０に入力される。
【００５６】
本実施形態における生体内電位計測器は、図４に示すように、絶縁性部材２０の中に配置された電極１０と、接地電極４０との間の電圧を増幅する増幅器として、第１の増幅器８０Ａ、及び第２の増幅器８０Ｂを備えている。
【００５７】
第１の増幅器８０Ａは、入力容量をＣin1、入力抵抗をＲin1としたとき、Ｃin1／Ｃe＞０．１、及び１／（２πｆＣeＲin1）＞０．１を満たすように設定されている。また、第２の増幅器８０Ｂは、入力容量をＣin2、入力抵抗をＲin2としたとき、Ｃin2／Ｃe＜０．０１、及び１／（２πｆＣeＲin2）＜０．０１を満たすように設定されている。ここで、Ｃeは、絶縁性部材２０の外周面が、器官７０の内壁面に接触した部位における静電容量で、ｆ（＝ω／２π）は、当該接触した部位の周波数帯域である。
【００５８】
図４に示すように、絶縁性部材２０の中に配置された電極１０と、接地電極４０との間の電圧は、切替手段（スイッチＳ１、Ｓ２）で切り替えることによって、第１の増幅器８０Ａまたは第２の増幅器８０Ｂで増幅することにより測定される。
【００５９】
絶縁性部材２０の中に配置された電極１０と、接地電極４０との間の電圧を、第１の増幅器８０Ａで増幅することにより測定された電圧（第１の電圧）Ｖ１は、上記の式（９）から、下記の式（１２）で与えられる。
【００６０】
【数１２】
2019170529.tif 000014
【００６１】
ここで、Ｋ（Ｃe）は、上記の式（８）の右辺で表される。
【００６２】
一方、絶縁性部材２０の中に配置された電極１０と、接地電極４０との間の電圧を、第２の増幅器８０Ｂで増幅することにより測定された電圧（第２の電圧）Ｖ２は、上記の式（１１）から、下記の式（１３）で与えられる。
【００６３】
【数１３】
2019170529.tif 000015
【００６４】
ここで、スイッチＳ１、Ｓ２を高速で切り替えた場合、絶縁性部材２０が接触した部位の電位Ｖbは、ほぼ一定と考えられる。従って、上記の式（１２）、（１３）から、Ｋ（Ｃe）は、以下の式（１４）で与えられる。
【００６５】
【数１４】
2019170529.tif 000016
【００６６】
上述したように、Ｋ（Ｃe）は、絶縁性部材２０と器官７０との接触面積Ｓの関数である。そのため、上記の式（１４）より、Ｖ１／Ｖ２の値が変化すれば、絶縁性部材２０と器官７０との接触面積Ｓが変化したことになる。
【００６７】
すなわち、本実施形態の生体内電位計測器において、第１の増幅器８０Ａで増幅することにより測定された第１の電圧Ｖ１と、第２の増幅器８０Ｂで増幅することにより測定された第２の電圧Ｖ２との電圧比Ｖ１／Ｖ２を用いて、絶縁性部材２０の外周面が、器官７０の内周面に接触している接触状態を評価することができる。これにより、絶縁性部材２０と器官７０との接触状態をリアルタイムに確認することができる。
【００６８】
例えば、アブレーション治療中において、絶縁性部材２０の外周面が、器官７０の内壁面に接触した状態で、電極１０に高周波電流を通電して、接触した部位を焼灼した後、第１の電圧Ｖ１及び第２の電圧Ｖ２を測定することにより、焼灼直後における、絶縁性部材２０と器官７０との接触状態を評価することができる。これにより、絶縁性部材２０と器官７０との接触状態を、常に監視しながらアブレーション治療を行うことができるため、治療部位の焼灼を確実に行うことができる。
【００６９】
また、従来の閉塞造影では、３次元で接触状態を確認するためには、大がかりなＸ線ＣＴ装置が必要であったが、本実施形態では、内部に電極１０が配置された絶縁性部材２０を、生体の器官７０内に挿入し、絶縁性部材２０が接触した部位の電位を計測するだけでよいため、簡単な装置で、絶縁性部材２０と器官７０との接触状態を確認することができる。
【００７０】
なお、上記の実施形態では、第１の増幅器８０Ａと、第２の増幅器８０Ｂとの切り替えを、高速で行った場合を説明したが、絶縁性部材２０が接触した部位の電位Ｖbが、ほぼ一定と考えられるタイミングであれば、切り替えのタイミングは、特に限定されない。例えば、絶縁性部材２０が接触した器官７０における電位Ｖbが、一定の周期で変動している場合には、その周期と同一周期のタイミングで切り替えてもよい。この場合、あるタイミングで、第１の増幅器８０Ａにより第１の電圧Ｖ１を計測した後、数周期後のタイミングで、第２の増幅器８０Ｂにより第２の電圧Ｖ２を計測してもよい。
【００７１】
ところで、上記の実施形態では、絶縁性部材２０の外周面が、器官７０の内壁面に接触した部位の電位Ｖbは、アブレーション治療による焼灼等により変化することを前提に説明したが、かかる電位Ｖbが一定、若しくは、周期的に変化する場合にも、本実施形態の生体内電位計測器を用いて、絶縁性部材２０と器官７０との接触状態を評価することができる。電位Ｖbが一定の場合として、例えば、筋電位等が挙げられる。また、電位Ｖbが周期的に変化する場合として、例えば、心電位等が挙げられる。
【００７２】
この場合、絶縁性部材２０が接触した部位の電位Ｖbは、絶縁性部材２０の中に配置された電極１０で検出した電位を、第１の増幅器８０Ａで増幅することにより測定される。従って、第１の増幅器８０Ａで増幅された電極１０と接地電極４０との間の電圧Ｖ１は、上記の式（１２）と同じ式で与えられる。
【００７３】
上記の式（１２）において、Ｖbは一定と考えられるため、電圧Ｖ１を測定することによって、絶縁性部材２０と器官７０との接触状態を評価することができる。また、Ｖbが周期的に変化する場合には、その周期と同一周期のタイミングで電圧Ｖ１を測定することによって、絶縁性部材２０と器官７０との接触状態を評価することができる。
【００７４】
以上、本発明を好適な実施形態により説明してきたが、こうした記述は限定事項ではなく、もちろん、種々の改変が可能である。例えば、上記実施形態では、絶縁性部材２０として、中空袋状のバルーンを例に説明したが、これに限定されず、電極１０を、絶縁性部材２０で被覆したものであればよい。また、電極１０を、導電性の流動体２１を介して絶縁性部材２０で被覆したものであってもよい。
【００７５】
また、上記実施形態では、基準となる接地電極４０を、生体の表面６０に配置した例を説明したが、接地電極４０を、生体の内部に配置してもよい。これにより、生体自身がシールド効果を持つことによって、ノイズを軽減した状態で、器官の電位を計測することができる。
【００７６】
また、上記実施形態では、絶縁性部材２０の外周面を、器官７０の内壁面にリング状に接触させた状態で、当該接触した部位の電位を、絶縁性部材２０の中に配置した電極１０で計測した例を説明したが、これに限定されず、平面部位に絶縁性部材２０を押し当てて、当該接触した部位の電位を絶縁性部材２０の中に配置した電極１０で計測するものであってもよい。例えば、器官の平面的な内壁面に絶縁性部材２０を押し当てて、平面部位の表面形状に沿うように絶縁性部材２０を変形させつつ、接触させた状態で、当該接触した部位の電位を電極１０で計測してもよい。
【００７７】
また、上記実施形態では、生体内電位計測器を、アブレーション治療において、絶縁性部材２０と器官７０との接触状態を評価する例を説明したが、これに限定されず、診断、治療、または治療効果の確認のために、絶縁性部材２０を、生体の器官内に挿入して、器官の内壁面における所定部位の電位を計測する際、絶縁性部材２０と器官７０との接触状態を評価する場面に適用することができる。
【符号の説明】
【００７８】
１０      電極 
２０      絶縁性部材 
２１      流動体 
３０      絶縁性部材 
３１      リード線 
４０      接地電極 
６０      生体の表面 
７０      器官 
８０      増幅器 
８０Ａ    第１の増幅器 
８０Ｂ    第２の増幅器 
【図１】
2019170529.tif 000017
【図２】
2019170529.tif 000018
【図３】
2019170529.tif 000019
【図４】
2019170529.tif 000020